(57)【要約】【課題】専用の駆動部及び制御部を要することなく、遊技球の運動が変化に富み、遊技を継続して楽しみ得るパチンコ遊技機を提供する。【解決手段】パチンコ遊技機は、遊技盤の遊技領域に振り分け装置を設けてなる。振り分け装置は、ステージ１２と、ステージに遊技球を導入する導入部と、ステージ上に設けられ、底部がすり鉢状の斜面に形成されかつ中心部に１以上の外れ落下孔２７を有する円運動凹部２４Ｌ，２４Ｒと、円運動凹部に近接してステージ上に設けられ、遊技球を入賞口など遊技者の有利な側に案内する有利側案内路２５と、導入された遊技球を円運動凹部に案内する凹部案内路２６Ｌ，２６Ｒとを備える。凹部案内路で案内された遊技球が円運動凹部に進入する際に他の遊技球が円運動凹部で円運動していると両遊技球が衝突して進入する方の遊技球が跳ね飛ばされ、有利側案内路に進入する。【選択図】図５
2007319626.tif 000002
【特許請求の範囲】
【請求項１】
遊技盤の遊技領域に遊技球を遊技者の有利な側と不利な側とに振り分ける振り分け装置が設けられたパチンコ遊技機において、
上記振り分け装置は、振り分けステージと、この振り分けステージに遊技球を導入する導入部と、振り分けステージ上に設けられ、進入した遊技球が円運動をしながら徐々に中心に向かって移動するように底部がすり鉢状の斜面に形成されかつ中心部に、上記不利側に導くための１以上の外れ落下孔を有する円運動凹部と、この円運動凹部に近接して振り分けステージ上に設けられ、遊技球を上記有利側に案内する有利側案内路と、上記導入部により振り分けステージに導入された遊技球を円運動凹部に案内する凹部案内路とを備えており、上記凹部案内路は、円運動凹部の外周に対しその略接線方向で交差するように設けられていて、この凹部案内路により案内された遊技球が円運動凹部に進入する際に他の遊技球が円運動凹部で円運動していると両遊技球が衝突して進入する方の遊技球が跳ね飛ばされ得るようになっており、また、この跳ね飛ばされた遊技球が上記有利側案内路に進入し得るように構成されていることを特徴とするパチンコ遊技機。
【請求項２】
上記円運動凹部は、振り分けステージ上に左右一対設けられており、この一対の円運動凹部の間に上記有利側案内路が配置されており、上記凹部案内路は、円運動凹部に対応して２つ設けられており、各凹部案内路は、左右いずれか一方の円運動凹部の外側周縁部から前側周縁部を経て他方の円運動凹部の前側周縁部にまで遊技球を案内するように設けられている請求項１記載のパチンコ遊技機。
【請求項３】
上記振り分け装置は、上下方向に複数段の振り分けステージを備え、そのうちの少なくとも１段の振り分けステージに対し上記導入部、円運動凹部、有利側案内路及び凹部案内路が設けられている請求項１又は２記載のパチンコ遊技機。
【請求項４】
遊技盤の遊技領域に打ち出された遊技球を遊技者の有利な側と不利な側とに振り分けるために装備されるパチンコ遊技機の振り分け装置であって、
振り分けステージと、
この振り分けステージに遊技球を導入する導入部と、
上記振り分けステージ上に設けられ、進入した遊技球が円運動をしながら徐々に中心に向かって移動するように底部がすり鉢状の斜面に形成されかつ中心部に、上記不利側に導くための１以上の外れ落下孔を有する円運動凹部と、
この円運動凹部に近接して振り分けステージ上に設けられ、遊技球を上記有利側に案内する有利側案内路と、
上記導入部により振り分けステージに導入された遊技球を円運動凹部に案内する凹部案内路とを備えており、
上記凹部案内路は、円運動凹部の外周に対しその略接線方向で交差するように設けられていて、この凹部案内路により案内された遊技球が円運動凹部に進入する際に他の遊技球が円運動凹部で円運動していると両遊技球が衝突して進入する方の遊技球が跳ね飛ばされ得るようになっており、また、この跳ね飛ばされた遊技球が上記有利側案内路に進入し得るように構成されていることを特徴とするパチンコ遊技機の振り分け装置。
【発明の詳細な説明】
【技術分野】
【０００１】
本発明は、遊技盤の遊技領域に打ち出された遊技球を、例えば入賞と外れとに振り分ける振り分け装置を装備してなるパチンコ遊技機及びパチンコ遊技機の振り分け装置に関する。
【背景技術】
【０００２】
従来、パチンコ遊技機として、遊技盤の遊技領域の中央部にセンター役物としての振り分け装置を設けるとともに、この振り分け装置の直下に始動入賞口を設け、遊技盤の遊技領域に打ち出された遊技球が振り分け装置を通して始動入賞口に入賞すると遊技者にとって有利な特別遊技に移行するものは知られている。
【０００３】
そして、このようなパチンコ遊技機の振り分け装置としては種々のものが提案され、実化されている。例えば特許文献１ないし特許文献３には、いずれも振り分けステージに可動部材を設け、この可動部材により振り分けステージに導入された遊技球の進路を様々に変化させ、その進路によって入賞と外れとに分かれるようにしたものが開示されている。また、特許文献４には、底部がすり鉢状の斜面に形成されかつ中心に３つの振り分け孔を有する振り分け体を振り分けステージに設け、このステージの振り分け体に進入した遊技球が振り分け体内で円運動をしながら徐々に中心に向かって移動し、中心の３つの振り分け孔のいずれに落下するかに応じて入賞と外れとに分かれるようにしたいわゆるクルーン式のものが開示されている。
【特許文献１】特開平１１−２８２７５号公報
【特許文献２】特開２０００−６１０５９号公報
【特許文献３】特開２００１−２３９００６号公報
【特許文献４】特開２００４−７３２６４号公報
【発明の開示】
【発明が解決しようとする課題】
【０００４】
ところが、上記従来の振り分け装置のうち、前者のものでは、可動部材を駆動するための駆動部及びそれを制御するための制御部が必要になるため、部品点数が多くなり、部品管理及び組み立て作業などが面倒なものになるとともに、コスト的に高くなるという問題があった。
【０００５】
また一方、後者のクルーン式のものでは、振り分け体に進入した遊技球が振り分け体内で円運動をした後、中心の３つの振り分け孔のいずれかに落下するだけの単純な運動をするにすぎないため、変化に乏しいという欠点がある。
【０００６】
本発明はかかる点に鑑みてなされたものであり、その課題とするところは、特に、従来のクルーン式振り分け装置に対し改良を加えることにより、専用の駆動部及び制御部を要することなく、遊技球の運動が変化に富み、遊技を継続して楽しみ得るパチンコ遊技機及びパチンコ遊技機の振り分け装置を提供せんとするものである。
【課題を解決するための手段】
【０００７】
上記の課題を解決するため、請求項１に係る発明は、遊技盤の遊技領域に遊技球を遊技者の有利な側と不利な側とに振り分ける振り分け装置が設けられたパチンコ遊技機において、上記振り分け装置を、以下のような構成にする。すなわち、振り分けステージと、この振り分けステージに遊技球を導入する導入部と、振り分けステージ上に設けられ、進入した遊技球が円運動をしながら徐々に中心に向かって移動するように底部がすり鉢状の斜面に形成されかつ中心部に、上記不利側に導くための１以上の外れ落下孔を有する円運動凹部と、この円運動凹部に近接して振り分けステージ上に設けられ、遊技球を上記有利側に案内する有利側案内路と、上記導入部により振り分けステージに導入された遊技球を円運動凹部に案内する凹部案内路とを備える。また、上記凹部案内路を、円運動凹部の外周に対しその略接線方向で交差するように設けて、この凹部案内路により案内された遊技球が円運動凹部に進入する際に他の遊技球が円運動凹部で円運動していると両遊技球が衝突して進入する方の遊技球が跳ね飛ばされ得るようにし、また、この跳ね飛ばされた遊技球が上記有利側案内路に進入し得るように構成する。
【０００８】
この構成では、導入部を通して振り分けステージに導入された遊技球が凹部案内路を通して振り分けステージの円運動凹部に進入するとその遊技球は、円運動凹部内で円運動をしながら徐々に中心に向かって移動し、最終的に円運動凹部中心部の外れ落下孔を通して外れ球として遊技盤の遊技領域に戻される。一方、円運動凹部に進入した遊技球が円運動凹部内で円運動しているときに別の遊技球が導入部を通して振り分けステージに導入されかつ凹部案内路を通して円運動凹部に進入するとその遊技球は、そのまま進入して円運動凹部内で円運動する場合の外に、円運動凹部内で円運動をしている遊技球と衝突して跳ね飛ばされる場合などがある。また、跳ね飛ばされた遊技球は、有利側案内路に進入して入賞口など遊技者の有利な側に案内される場合と、有利側案内路に進入せずに円運動凹部に進入する場合などがある。従って、振り分けステージの円運動凹部に遊技球が進入するときには、他の遊技球の有無及び進入タイミングなどによってその後の運動が千変万化であり、またその運動の１態様に入賞など遊技者の有利側があるため、遊技者は、遊技球の運動に興味を持ちながら遊技を継続して楽しむことができる。尚、有利側案内路により遊技球を遊技者の有利側に案内する箇所ないし対象物は、例えば、入球により大当たり抽選の契機を発生させる始動入賞口であり、その他に、電動役物、大入賞口などであり、更に賞球払い出しを伴わない通過ゲート構造の抽選役物などでも良い。また、円運動凹部の深さを調整することにより、円運動凹部に遊技球が勢いよく入っても飛び出し難くして、遊技球同士の衝突によって跳ね飛ばされた遊技球のみが有利側案内路に進入するように規制すれば出玉率の調整を比較的容易に行うことができる。
【０００９】
請求項２に係る発明は、請求項１記載のパチンコ遊技機において、上記円運動凹部を、振り分けステージ上に左右一対設け、この一対の円運動凹部の間に上記有利側案内路を配置し、上記凹部案内路を、円運動凹部に対応して２つ設けるとともに、各凹部案内路を、左右いずれか一方の円運動凹部の外側周縁部から前側周縁部を経て他方の円運動凹部の前側周縁部にまで遊技球を案内するように設ける構成にする。この構成では、振り分けステージ上に円運動凹部が左右一対設けられているとともに、この円運動凹部に遊技球を案内する凹部案内路が、円運動凹部に対応して２つ設けられ、かつ各々左右いずれか一方の円運動凹部の外側周縁部から前側周縁部を経て他方の円運動凹部の前側周縁部にまで遊技球を案内するように設けられているため、遊技球の有利側案内路への進入確率ひいては入賞などの確率を高めることなく、遊技球同士の衝突頻度を高めることができる。
【００１０】
請求項３に係る発明は、請求項１又は２記載のパチンコ遊技機において、上記振り分け装置を、上下方向に複数段の振り分けステージを備える構成にし、そのうちの少なくとも１段の振り分けステージに対し上記導入部、円運動凹部、有利側案内路及び凹部案内路を設ける構成にする。この構成では、複数段の振り分けステージのうちの少なくとも１段の振り分けステージにおいて、上述した遊技球同士の衝突による有利側と不利側の振り分けを行いながら、他の段の振り分けステージにおいて、例えば従来のクルーン式振り分け構造を採用することにより入賞などの確率を自在に調整できるようになる。
【００１１】
請求項４に係る発明は、請求項１記載のパチンコ遊技機の特徴を、遊技盤の遊技領域に打ち出された遊技球を遊技者の有利な側と不利な側とに振り分けるために装備されるパチンコ遊技機の振り分け装置として把握したものである。すなわち、振り分け装置は、振り分けステージと、この振り分けステージに遊技球を導入する導入部と、上記振り分けステージ上に設けられ、進入した遊技球が円運動をしながら徐々に中心に向かって移動するように底部がすり鉢状の斜面に形成されかつ中心部に、上記不利側に導くための１以上の外れ落下孔を有する円運動凹部と、この円運動凹部に近接して振り分けステージ上に設けられ、遊技球を上記有利側に案内する有利側案内路と、上記導入部により振り分けステージに導入された遊技球を円運動凹部に案内する凹部案内路とを備えており、上記凹部案内路は、円運動凹部の外周に対しその略接線方向で交差するように設けられていて、この凹部案内路により案内された遊技球が円運動凹部に進入する際に他の遊技球が円運動凹部で円運動していると両遊技球が衝突して進入する方の遊技球が跳ね飛ばされ得るようになっており、また、この跳ね飛ばされた遊技球が上記有利側案内路に進入し得るように構成されている。
【発明の効果】
【００１２】
以上のように、本発明のパチンコ遊技機及びパチンコ遊技機の振り分け装置によれば、振り分けステージの円運動凹部に遊技球が進入するときには、他の遊技球の有無及び進入タイミングなどによって遊技球同士の衝突その後の運動が千変万化であり、またその運動の１態様に入賞など遊技者の有利側があるため、遊技者は遊技球の運動に興味を持ちながら遊技を継続して楽しむことができる。しかも、振り分け装置専用の駆動部及び制御部を必要としないので、組み立て作業面及びコスト面などからも実施化を容易に図ることができるという利点を併有するものである。
【００１３】
特に、請求項２に係る発明では、遊技球の有利側案内路への進入確率ひいては入賞などの確率を高めることなく、遊技球同士の衝突頻度を高めることができるので、遊技球の運動に対する遊技者の興味を有効に持続させることができる。
【００１４】
また、請求項３に係る発明では、複数段の振り分けステージのうちの少なくとも１段の振り分けステージにおいて遊技球同士の衝突による有利側と不利側の振り分けを行いながら、他の段の振り分けステージにおいて従来のクルーン式振り分け構造などを採用することにより入賞などの確率を自在に調整することができるので、実施化を図る上で非常に有利なものである。
【発明を実施するための最良の形態】
【００１５】
以下、本発明を実施するための最良の形態である実施形態を図面に基づいて説明する。
【００１６】
図１は本発明に係るパチンコ遊技機の遊技盤構造を示し、１は略矩形状の遊技盤であって、この遊技盤１の表面には遊技領域１ａを囲むようにガイドレール２が設けられ、遊技盤１の下側に配置される発射装置（図示せず）から遊技球がガイドレール２の隙間３を通して遊技盤１の遊技領域１ａに打ち出されるようになっている。
【００１７】
上記遊技盤１の遊技領域１ａには、中央部にセンター役物としての振り分け装置４が設けられているとともに、この振り分け装置４の直下に始動入賞口５が、最下位置にアウト口６がそれぞれ設けられている。また、遊技盤１の遊技領域１ａには、振り分け装置４を挟む左右両側の上部に風車役物７ａ，７ｂが、左側の中央部に普通入賞口８ａが、右側の中央部に通過ゲート８ｂと大入賞口としての特別電動役物９及び普通電動役物１０がそれぞれ設けられている。そして、振り分け装置４を通して始動入賞口５に遊技球が入ったときには、大当たり抽選が行われる。始動入賞口５への入球により、遊技盤１の遊技領域１ａに設けた７セグメントＬＥＤからなる可変表示装置２０が０〜９の数字を可変表示する。７を表示して停止すると大当たりとなる。この抽選確率は１００％に近い高確率値である。始動入賞口５に代えて、入球すれば大当たり確定となるＶ入賞口を使用してもよい。大当たり抽選に当選すると、特別電動役物９が開放される大当たり状態に移行する。大当たり状態ではいわゆる右打ち遊技になる。特別電動役物９に遊技球が所定個数（例えば７個）入ると閉鎖され、所定時間経過後再び開放され、同様に所定個数入ると閉鎖され、２回の開放で終了する。大当たり状態の開閉回数等は適宜設定してよい。大当たり終了後、時短モードに移行する。時短モードでは、通過ゲート８ｂを遊技球が通過することにより、普通電動役物１０が数秒間開放され、入球することにより、上記同様の高確率の大当たり抽選が行われる。このときの大当たり抽選に当選すると、特別電動役物９が開放される大当たり状態に再び移行する。このように、一旦始動入賞口５の入球により大当たり状態になれば遊技者は右打ち状態で遊技し続けることになり、高確率の大当たり抽選に基づき、特別電動役物９及び普通電動役物１０の開放が繰り返し行われて、遊技球を大量に獲得できる有利な機会が付与される大量獲得モードが発生する。この大量獲得モードは大当たり回数が１００回に達するのを上限に継続される。
【００１８】
上記振り分け装置４は、図２に詳示するように、前面側が開放した箱形ケース１１内の上下方向に４段の振り分けステージ１２，１３，１４，１５を備え、各振り分けステージ１２〜１５で遊技球を遊技者の有利な側である入賞側と不利な側である外れ側とに振り分けるようになっている。箱形ケース１１は、その取付フランジ部１１ａより前側の前飾り枠１１ｂを遊技盤１の表面側に露出した状態で遊技盤１に取り付けられており、前飾り枠１１ｂは、取付フランジ部１１ａに対し取り外し可能に装着されている。また、箱形ケース１１の前飾り枠１１ｂ及び取付フランジ部１１ａの上部には、図３及び図４にも示すように、遊技盤１の遊技領域１ａから遊技球を最上段の振り分けステージ１２に導入する左右一対の導入部１６Ｌ，１６Ｒが設けられている。
【００１９】
上記４段の振り分けステージ１２〜１５のうち、最上段の振り分けステージ１２は、図５及び図６に詳示するように、左右一対の導入部１６Ｌ，１６Ｒから導入された遊技球を受ける後部ステージ２１と、この後部ステージ２１の前側に設けられた前部ステージ２２とからなる。後部ステージ２１の上面には遊技球を前部ステージ２２側に誘導する左右一対の傾斜路２３Ｌ，２３Ｒが設けられている。また、前部ステージ２２の上面には、進入した遊技球が円運動をしながら徐々に中心に向かって移動するように底部がすり鉢状の斜面に形成された左右一対の円形状の円運動凹部２４Ｌ，２４Ｒと、この一対の円運動凹部２４Ｌ，２４Ｒの間にこれらと隣接ないし近接しつつ前後方向に直線状に形成された有利側案内路２５と、上記一対の円運動凹部２４Ｌ，２４Ｒに対応して、後部ステージ２１の各傾斜路２３Ｌ，２３Ｒから遊技球をそれぞれ各円運動凹部２４Ｌ，２４Ｒに案内する左右一対の凹部案内路２６Ｌ，２６Ｒとが設けられている。
【００２０】
上記各円運動凹部２４Ｌ、２４Ｒの底部中心部には単一の外れ落下孔２７が設けられ、この外れ落下孔２７に落下した遊技球は、前部ステージ２２から前飾り枠１１ｂにまで延設した外れ通路２８を通して前飾り枠１１ｂの側端から遊技盤１の遊技領域１ａに戻されるようになっている。また、上記有利側案内路２５は、その底部が前側から後側に向かって緩やかに傾斜する傾斜面に形成されており、この有利側案内路２５に進入した遊技球は、有利側案内路２５の後端から、前部ステージ２２に設けた誘導路２９を通して始動入賞口５側である２段目の振り分けステージ１３に案内されるようになっている。
【００２１】
さらに、上記各凹部案内路２６Ｌ，２６Ｒは、左右いずれか一方の円運動凹部２４Ｌ，２４Ｒの後方から外側周縁部に近づき、その外側周縁部から前側周縁部を経て他方の円運動凹部２４Ｒ，２４Ｌの前側周縁部にまで延設されており、遊技球を両方の円運動凹部２４Ｌ，２４Ｒに案内するようになっている。また、各凹部案内路２６Ｌ，２６Ｒは、一方の円運動凹部２４Ｌ，２４Ｒの後方から外側周縁部に近づく箇所でその円運動凹部２４Ｌ，２４Ｒの外周に対しその略接線方向で交差するとともに、他方の円運動凹部２４Ｒ，２４Ｌの前側周縁部にまで延びる箇所でその円運動凹部２４Ｒ，２４Ｌの外周に対しその略接線方向に交差するように設けられている。そして、この各凹部案内路２６Ｌ，２６Ｒにより案内された遊技球が一方の円運動凹部２４Ｌ，２４Ｒに進入する際に他の遊技球がその円運動凹部２４Ｌ，２４Ｒで円運動していると両遊技球が衝突して進入する方の遊技球が跳ね飛ばされ得るようになっており、また、円運動凹部２４Ｌ，２４Ｒは、勢いよく遊技球が入っても有利側案内路２５側に飛び出し難い深さを有しており、遊技球同士の衝突によって跳ね飛ばされた遊技球のみが上記有利側案内路２５に進入し得るように構成されている。
【００２２】
一方、２段目、３段目及び最下段の振り分けステージ１３〜１５には、図７〜図９に詳示するように、それぞれ進入した遊技球が円運動をしながら徐々に中心に向かって移動するように底部がすり鉢状の斜面に形成された比較的に大きな円形状の振り分け体３１と、１段上の振り分けステージ１２〜１４の誘導路２９，３６から落下した遊技球を受けて振り分け体３１の後側から振り分け体３１内に案内する案内路３２とが設けられている。振り分け体３１の底部中心には１つの入賞落下孔３３と２つの外れ落下孔３４，３５とが互いに近接した状態で設けられている。
【００２３】
そして、上記入賞落下孔３３に落下した遊技球は、２段目及び３段目の振り分けステージ１３，１４の場合その振り分けステージ１３、１４に設けた誘導路３６を通して１段下の振り分けステージ１４，１５の案内路３２上に落下し、最下段の振り分けステージ１５の場合その振り分けステージ１５に設けた誘導路（図示せず）を通して、箱形ケース１１の前飾り枠１１ｂの下枠部中央に設けた誘導口３７からその直下の始動入賞口５に向けて放出されるようになっている。また、上記各外れ落下孔３４，３５に落下した遊技球は、２段目、３段目及び最下段のいずれの振り分けステージ１３〜１５の場合でもその振り分けステージ１３〜１５に設けた外れ通路３８などを通して、箱形ケース１１の取付フランジ部１１ａの下枠部右端に設けた外れ放出口３９から始動入賞口５の側方に向けて放出されるようになっている。
【００２４】
尚、２段目、３段目及び最下段の振り分けステージ１３〜１５は、図７から分かるように、遊技者に見え易くするために、下段になる程箱形ケース１１内の前側に寄った位置に設けられている。
【００２５】
次に、上記実施形態の作動、特に振り分け装置４の最上段の振り分けステージ１２に遊技球が導入部１６Ｌ，１６Ｒを通して導入される場合の遊技球の動作について説明するに、遊技盤１の遊技領域１ａに打ち出された遊技球が振り分け装置４の最上段の振り分けステージ１２に導入部１６Ｌ，１６Ｒを通して導入される場合、その遊技球は振り分けステージ１２の後部ステージ２１上に導入されてその上を遊動した後、後部ステージ２１の傾斜路２３Ｌ，２３Ｒから前部ステージ２２の凹部案内路２６Ｌ，２６Ｒを通して左右一対の円運動凹部２４Ｌ，２４Ｒのいずれか一方に進入する。その際、円運動凹部２４Ｌ，２４Ｒ内に他の遊技球がない場合には円運動凹部２４Ｌ，２４Ｒに進入した遊技球は、その円運動凹部２４Ｌ，２４Ｒ内で円運動をしながら徐々に中心に向かって移動し、最終的に円運動凹部２４Ｌ，２４Ｒの底部中心部の外れ落下孔２７から外れ通路２８を通して外れ球として遊技盤１の遊技領域１ａに戻される。
【００２６】
一方、円運動凹部２４Ｌ，２４Ｒ内で他の遊技球が円運動している場合には、その円運動凹部２４Ｌ，２４Ｒに進入する遊技球は、そのまま進入して円運動凹部２４Ｌ，２４Ｒ内で円運動することの外に、他の遊技球と衝突して跳ね飛ばされたり、衝撃で止まったりすることなどがある。また、跳ね飛ばされた遊技球は、有利側案内路２５に進入して始動入賞口５側である２段目の振り分けステージ１３に案内される場合と、有利側案内路２５に進入せずに円運動凹部２４Ｌ，２４Ｒに進入する場合などがある。
【００２７】
このように、最上段の振り分けステージ１２の円運動凹部２４Ｌ，２４Ｒに遊技球が進入するときには、他の遊技球の有無及び進入タイミングなどによってその後の運動が千変万化であり、またその運動の１態様に入賞に繋がる２段目の振り分けステージ１３への移行があるため、遊技者は、遊技球の運動に興味を持ちながら遊技を継続して楽しむことになり、遊技性を高めることができる。しかも、振り分け装置専用の駆動部及びそれを制御する制御部を必要としないので、その分部品点数を少なくすることができ、組み立て作業面及びコスト面などからも実施化を容易に図ることができるという効果を併有する。
【００２８】
その上、本実施形態では、最上段の振り分けステージ１２上に円運動凹部２４Ｌ，２４Ｒが左右一対設けられているとともに、この円運動凹部２４Ｌ，２４Ｒに遊技球を案内する凹部案内路２６Ｌ，２６Ｒが、円運動凹部２４Ｌ，２４Ｒに対応して２つ設けられ、かつ各々左右いずれか一方の円運動凹部２４Ｌ，２４Ｒの外側周縁部から前側周縁部を経て他方の円運動凹部２４Ｒ，２４Ｌの前側周縁部にまで遊技球を案内するように設けられているため、遊技球の有利側案内路２５への進入確率ひいては入賞確率を高めることなく、遊技球同士の衝突頻度を高めることができる。その結果、遊技球の運動に対する遊技者の興味を有効に持続させることができる。
【００２９】
さらに、上記振り分け装置４は、箱形ケース１１内の上下方向に４段の振り分けステージ１２〜１５を備え、そのうちの最上段の振り分けステージ１２において、上述した遊技球同士の衝突による入賞と外れの振り分けを行いながら、残り３段の振り分けステージ１３〜１５において、それぞれ底部がすり鉢状の斜面に形成されかつ中心に３つの振り分け孔（詳しくは１つの入賞落下孔３３と２つの外れ落下孔３４，３５）を有する振り分け体３１を設けるいわゆるクルーン式振り分け構造を採用することにより、入賞確率を自在に調整することができるので、実施化を図る上で非常に有利なものである。
【００３０】
尚、本発明は上記実施形態に限定されるものではなく、その他種々の形態を包含するものである。例えば上記実施形態では、振り分け装置４において、上下方向に４段の振り分けステージ１２〜１５を備え、そのうちの最上段の振り分けステージ１２において、遊技球同士の衝突による入賞と外れの振り分けを行うために、導入部１６Ｌ，１６Ｒと円運動凹部２４Ｌ，２４Ｒと有利側案内路２５と凹部案内路２６Ｌ，２６Ｒとを設けたが、本発明は、最上段の振り分けステージ１２の代わりに、又は最上段の振り分けステージ１２と共に、他の振り分けステージ１３〜１５のいずれかにおいて、実施形態の場合と同様に遊技球同士の衝突による入賞と外れの振り分けを行うための構成を採用してもよい。また、単一の振り分けステージを備えた振り分け装置にも適用することができるのは勿論である。
【００３１】
さらに、上記実施形態では、振り分けステージ１２上で遊技球同士の衝突による入賞と外れの振り分けを行うために、左右一対の円運動凹部２４Ｌ，２４Ｒと、この一対の円運動凹部２４Ｌ，２４Ｒの間に配置される有利側案内路２５と、左右一対ずつの導入部１６Ｌ，１６Ｒ及び凹部案内路２６Ｌ，２６Ｒとを備える構成にしたが、本発明は、この構成に限らず、例えば円運動凹部と有利側案内路と導入部と凹部案内路とをいずれも１つずつ備えるだけの構成にしてもよい。
【図面の簡単な説明】
【００３２】
【図１】本発明の実施形態に係るパチンコ遊技機の遊技盤構造を示す正面図である。
【図２】上記パチンコ遊技機の要部を構成する振り分け装置の斜視図である。
【図３】上記振り分け装置の最上段の振り分けステージ付近の拡大正面図である。
【図４】図３に示す状態から前飾り枠を取り外した状態を示す図である。
【図５】振り分け装置の最上段の振り分けステージの斜視図である。
【図６】同平面図である。
【図７】図４のＸ−Ｘ線における断面図である。
【図８】振り分け装置の２段目又は３段目の振り分けステージの平面図である。
【図９】同正面図である。
【符号の説明】
【００３３】
１    遊技盤
１ａ  遊技領域
４    振り分け装置
１２，１３，１４，１５    振り分けステージ
１６Ｌ，１６Ｒ    導入部
２４Ｌ，２４Ｒ    円運動凹部
２５    有利側案内路
２６Ｌ，２６Ｒ    凹部案内路
２７    外れ落下孔
【図１】
2007319626.tif 000003
【図２】
2007319626.tif 000004
【図３】
2007319626.tif 000005
【図４】
2007319626.tif 000006
【図５】
2007319626.tif 000007
【図６】
2007319626.tif 000008
【図７】
2007319626.tif 000009
【図８】
2007319626.tif 000010
【図９】
2007319626.tif 000011